(57)【要約】【課題】被検体の診断に係る医用データのうち、不足分の医用データの取得に係る利便性を向上させること。【解決手段】実施形態に係る医用情報処理装置は、所見設定部と、第１の抽出部と、表示制御部とを備える。所見設定部は、被検体の診断に係る項目を所見として設定する。第１の抽出部は、表示の対象とする医用データの条件を所見毎に定義した設定情報に基づいて、第１の施設が管理する前記被検体の医用データの中から、前記所見設定部で設定された前記所見の条件を充足する医用データを抽出する。表示制御部は、前記第１の抽出部が抽出した医用データを同一の画面内に表示させるとともに、当該医用データが前記条件の全てを充足しない場合に、不足分の条件に係る医用データについて、前記第１の施設以外の第２の施設から抽出する第１の方法、又は前記第１の施設に検査依頼を行う第２の方法を指定可能な操作子を、前記画面内に表示させる。【選択図】図７
2020181342.tif 000002
【特許請求の範囲】
【請求項１】
被検体の診断に係る項目を所見として設定する所見設定部と、
表示の対象とする医用データの条件を所見毎に定義した設定情報に基づいて、第１の施設が管理する前記被検体の医用データの中から、前記所見設定部で設定された前記所見の条件を充足する医用データを抽出する第１の抽出部と、
前記第１の抽出部が抽出した医用データを同一の画面内に表示させるとともに、当該医用データが前記条件の全てを充足しない場合に、不足分の条件に係る医用データについて、前記第１の施設以外の第２の施設から抽出する第１の方法、又は前記第１の施設に検査依頼を行う第２の方法を指定可能な操作子を、前記画面内に表示させる表示制御部と、
を備える医用情報処理装置。
【請求項２】
被検体の診断に係る項目を所見として設定する所見設定部と、
表示の対象とする医用データの条件と、当該条件に該当する医用データの各々を同一の画面内に表示する表示領域を規定した表示レイアウトとを所見毎に定義した設定情報に基づいて、第１の施設が管理する前記被検体の医用データの中から、前記所見設定部で設定された前記所見の条件を充足する医用データを抽出する第１の抽出部と、
前記第１の抽出部が抽出した医用データを、前記表示レイアウト内の対応する前記表示領域に表示させるとともに、表示する前記医用データが存在しない前記表示領域に、当該表示領域に表示するよう規定された不足分の条件に係る医用データについて、前記第１の施設以外の第２の施設から抽出する第１の方法、又は前記第１の施設に検査依頼を行う第２の方法を指定可能な操作子を表示させる表示制御部と、
を備える医用情報処理装置。
【請求項３】
前記第１の方法が指定された場合に、前記第２の施設が管理する前記被検体の医用データの中から、前記不足分の条件を充足する医用データを抽出する第２の抽出部を更に備え、
前記表示制御部は、前記第２の抽出部が抽出した前記医用データを、前記画面内に表示させる請求項１に記載の医用情報処理装置。
【請求項４】
前記第１の方法が指定された場合に、前記第２の施設が管理する前記被検体の医用データの中から、前記不足分の条件を充足する医用データを抽出する第２の抽出部を更に備え、
前記表示制御部は、前記第２の抽出部が抽出した前記医用データを、前記表示レイアウト内の対応する前記表示領域に表示させる請求項２に記載の医用情報処理装置。
【請求項５】
前記表示制御部は、前記第２の抽出部が抽出した前記医用データを、抽出元の第２の施設を示す抽出元情報と対応付けて表示させる請求項３又は４に記載の医用情報処理装置。
【請求項６】
前記第２の施設が管理する前記被検体の医用データの中に、不足分の前記条件を充足する医用データが存在するか否かを判定する判定部を更に備え、
前記表示制御部は、前記判定部で存在すると判定された場合に、前記第１の方法を指定可能な操作子を表示させる請求項１又は２に記載の医用情報処理装置。
【請求項７】
前記表示制御部は、前記判定部で存在しないと判定された場合、前記条件を充足する医用データが不足していることを報知する情報を表示させる請求項６に記載の医用情報処理装置。
【請求項８】
前記表示制御部は、前記判定部で存在しないと判定された場合、前記第２の方法を指定可能な操作子を表示させる請求項６又は７に記載の医用情報処理装置。
【請求項９】
前記表示制御部は、前記第１の施設の検査で使用する基準範囲と、前記第２の施設の検査で使用する基準範囲とに基づいて、前記第２の抽出部が抽出した前記検査に係る前記医用データの表示形態を変更する請求項３又は４に記載の医用情報処理装置。
【請求項１０】
前記表示制御部は、前記第１の施設の検査で使用する基準範囲と、前記第２の施設の検査で使用する基準範囲とが相違する場合、前記第２の抽出部が抽出した前記医用データの表示に先駆けて、前記基準範囲の相違を報知する情報を表示させる請求項９に記載の医用情報処理装置。
【請求項１１】
前記第２の方法が指定された場合に、前記不足分の条件に係る検査を前記第１の施設に依頼する検査依頼部を更に備える請求項１又は２に記載の医用情報処理装置。
【請求項１２】
前記被検体の身体的特徴及び主訴に基づいて、当該被検体に係る前記所見を推定する所見推定部を更に備え、
前記所見設定部は、前記所見推定部で推定された所見のうち、ユーザから選択された一の所見を設定する請求項１に記載の医用情報処理装置。
【請求項１３】
前記第１の施設が管理する前記被検体の医用データに基づいて、当該被検体に係る前記所見を推定する所見推定部を更に備え、
前記所見設定部は、前記所見推定部で推定された所見のうち、ユーザから選択された一の所見を設定する請求項１に記載の医用情報処理装置。
【請求項１４】
被検体の診断に係る項目を所見として設定し、
表示の対象とする医用データの条件を所見毎に定義した設定情報に基づいて、第１の施設が管理する前記被検体の医用データの中から、設定された前記所見の条件を充足する医用データを抽出し、
抽出された医用データを同一の画面内に表示させるとともに、当該医用データが前記条件の全てを充足しない場合に、不足分の条件に係る医用データについて、前記第１の施設以外の第２の施設から抽出する第１の方法、又は前記第１の施設に検査依頼を行う第２の方法を指定可能な操作子を、前記画面内に表示させる、
ことを含む医用情報処理方法。
【請求項１５】
被検体の診断に係る項目を所見として設定し、
表示の対象とする医用データの条件と、当該条件に該当する医用データの各々を同一の画面内に表示する表示領域を規定した表示レイアウトとを所見毎に定義した設定情報に基づいて、第１の施設が管理する前記被検体の医用データの中から、設定された前記所見の条件を充足する医用データを抽出し、
抽出された医用データを、前記表示レイアウト内の対応する前記表示領域に表示させるとともに、表示する前記医用データが存在しない前記表示領域に、当該表示領域に表示するよう規定された不足分の条件に係る医用データについて、前記第１の施設以外の第２の施設から抽出する第１の方法、又は前記第１の施設に検査依頼を行う第２の方法を指定可能な操作子を表示させる、
ことを含む医用情報処理方法。
【発明の詳細な説明】
【技術分野】
【０００１】
本発明の実施形態は、医用情報処理装置及び医用情報処理方法に関する。
【背景技術】
【０００２】
従来、医療の現場で用いられている医用データには、画像データ、検体検査等の検査データ、カルテデータ等の様々な種々が存在している。医師等の医療従事者は、それらの医用データを総合的に見て、被検体（例えば患者）の診断等を行っている。
【０００３】
また、近年では、医療施設間の連携により、同一の被検体の検査を複数の医療施設で行うような場合がある。この場合、被検体の医用データは医療施設の各々で管理されることになる。そのため、医療従事者は、被検体の診断に必要な医用データのうち、自己の医療施設で取得された医用データ以外の不足分の医用データを他の医療施設から取得し、医用データ間の関係を考慮しながら被検体の診断を行っている。例えば、被検体の異常所見から推論した診断名等を推論し、推論結果に関連する医用データを院内外から抽出する方法が知られている。
【０００４】
ところで、上述した不足分の医用データについては、他の医療施設から取得する以外にも、自己の医療施設で他の医療施設と同様の検査を実施することで不足分の医用データを補完する場合もある。このように、不足分の医用データの取得については、医療従事者の判断の下で種々の対応が可能であり、利便性を向上させる上で更なる改善の余地があった。
【先行技術文献】
【特許文献】
【０００５】
【特許文献１】特開２００１−３１２５５８号公報
【発明の概要】
【発明が解決しようとする課題】
【０００６】
本発明が解決しようとする課題は、被検体の診断に係る医用データのうち、不足分の医用データの取得に係る利便性を向上させることである。
【課題を解決するための手段】
【０００７】
実施形態に係る医用情報処理装置は、所見設定部と、第１の抽出部と、表示制御部とを備える。所見設定部は、被検体の診断に係る項目を所見として設定する。第１の抽出部は、表示の対象とする医用データの条件を所見毎に定義した設定情報に基づいて、第１の施設が管理する前記被検体の医用データの中から、前記所見設定部で設定された前記所見の条件を充足する医用データを抽出する。表示制御部は、前記第１の抽出部が抽出した医用データを同一の画面内に表示させるとともに、当該医用データが前記条件の全てを充足しない場合に、不足分の条件に係る医用データについて、前記第１の施設以外の第２の施設から抽出する第１の方法、又は前記第１の施設に検査依頼を行う第２の方法を指定可能な操作子を、前記画面内に表示させる。
【図面の簡単な説明】
【０００８】
【図１】図１は、実施形態に係る医用情報システムの構成の一例を示す図である。
【図２】図２は、実施形態に係る医用情報処理装置の構成の一例を示す図である。
【図３】図３は、実施形態に係る抽出条件情報のデータ構成の一例を示す図である。
【図４】図４は、実施形態の表示制御機能によって表示される画面の一例を示す図である。
【図５】図５は、図４に示した所見設定領域の操作方法を説明するための図である。
【図６】図６は、実施形態の表示制御機能によって表示される画面の一例を示す図である。
【図７】図７は、実施形態の表示制御機能によって表示される画面の一例を示す図である。
【図８】図８は、実施形態の表示制御機能によって表示される画面の一例を示す図である。
【図９】図９は、実施形態の医用情報処理装置が実行する処理の一例を示すフローチャートである。
【図１０】図１０は、変形例１に係る基準範囲情報のデータ構成の一例を示す図である。
【図１１】図１１は、変形例１に係る動作設定情報のデータ構成の一例を示す図である。
【図１２】図１２は、変形例１の表示制御機能によって表示される画面の一例を示す図である。
【発明を実施するための形態】
【０００９】
以下、図面を参照しながら、医用情報処理装置及び医用情報処理方法の実施形態について説明する。
【００１０】
図１は、本実施形態に係る医用情報システムの構成の一例を示す図である。図１に示すように、医用情報システム１は、複数の医療施設システム１０（１０ａ〜１０ｃ）を有する。医療施設システム１０同士は、イントラネット等の施設間ネットワークＮ１を介して通信可能に接続される。なお、施設間ネットワークＮ１に接続される医療施設システム１０の個数は特に問わないものとする。また、複数の医療施設システム１０の何れか又は全ては、クラウドコンピューティングを利用したネットワーク形態（クラウド）で構成されてもよい。
【００１１】
医療施設システム１０は、病院や検診センター等の医療施設が備えるシステムである。図１に示す例では、医療施設システム１０ａは、医療施設Ａの医療施設システムであり、医療施設システム１０ｂは、医療施設Ｂの医療施設システムであり、医療施設システム１０ｃは、医療施設Ｃの医療施設システムである。これらの医療施設Ａ〜Ｃ病院（医療施設システム１０ａ〜１０ｃ）は、例えば地域医療連携の関係にあり、患者等の被検体の医用データを相互に参照することが可能となっている。
【００１２】
医療施設システム１０は、例えば、医用情報処理装置１００、検体検査システム２００、放射線部門システム３００、電子カルテシステム４００及び統合データサーバ５００等を有する。医用情報処理装置１００、検体検査システム２００、放射線部門システム３００、電子カルテシステム４００及び統合データサーバ５００は、ＬＡＮ（Local  Area  Network）等の施設内ネットワークＮ２を介して通信可能に接続される。また、施設内ネットワークＮ２は、ルータ等のネットワーク機器を介して、施設間ネットワークＮ１に接続される。なお、施設内ネットワークＮ２に接続される医用情報処理装置１００の個数は特に問わないものとする。
【００１３】
検体検査システム２００は、被検体に対して実施された検体検査に関する検体検査データを生成し、検体検査システム２００内の記憶回路に記憶する。そして、検体検査システム２００は、記憶回路に記憶されている検体検査データを統合データサーバ５００に送信する。なお、検体検査データには、上述した被検体の検査結果等の他、被検体を識別するための患者ＩＤが含まれる。
【００１４】
放射線部門システム３００は、被検体を撮像することで得られた画像データを、放射線部門システム３００内の記憶回路に記憶する。また、放射線部門システム３００は、被検体に対して実施された画像検査に関するレポートデータを生成し、システム内の記憶回路に記憶する。例えば、放射線部門システム３００は、ＰＡＣＳ（Picture  Archiving  and  Communication  Systems）等を含む。また、画像検査には、Ｘ線ＣＴ（Computed  Tomography）装置によって撮像されたＣＴ画像を用いた検査や、ＭＲＩ（Magnetic  Resonance  Imaging）装置によって撮像されたＭＲ画像を用いた検査、超音波診断装置によって撮像された超音波画像を用いた検査、Ｘ線診断装置によって撮像されたＸ線画像を用いた検査等が含まれる。そして、放射線部門システム３００は、記憶回路に記憶されている画像データ及びレポートデータを統合データサーバ５００に送信する。なお画像データ及びレポートデータには、上述した被検体の検査結果やレポート等の他、被検体を識別するための患者ＩＤが含まれる。
【００１５】
電子カルテシステム４００は、被検体の診療記録や看護記録、被検体に対して実施された処方、被検体から計測されたバイタル（バイタルデータ）等を含むカルテデータを生成して、システム内の記憶回路に記憶する。そして、電子カルテシステム４００は、記憶回路に記憶されているカルテデータを統合データサーバ５００に送信する。かかるカルテデータには、上述したバイタルデータ等の他、被検体を識別するための患者ＩＤ等が含まれる。
【００１６】
統合データサーバ５００は、プロセッサ等の処理回路、ＲＡＭ（Random  Access  Memory）、フラッシュメモリ等の半導体メモリ素子、ハードディスク、光ディスク等によって実現される記憶回路を備える、ワークステーションやサーバ装置等のコンピュータ機器によって実現される。
【００１７】
統合データサーバ５００は、検体検査システム２００、放射線部門システム３００、及び電子カルテシステム４００から各種のデータを収集し、サーバ内の記憶回路に記憶する。具体的には、統合データサーバ５００の記憶回路は、放射線部門システム３００、及び電子カルテシステム４００から取得した各種のデータを記憶・管理するための統合ＤＢ（Data  Base）５１０を保持する。
【００１８】
例えば、統合ＤＢ５１０には、検体検査データ、画像データ、レポートデータ、カルテデータ（バイタルデータ）等が含まれる。検体検査データは、検体検査システム２００から取得した検体検査に関する医用データである。また、レポートデータ及び画像データは、放射線部門システム３００から取得した画像検査に関する医用データである。また、カルテデータは、電子カルテシステム４００から取得した処方及び看護記録に関する医用データである。
【００１９】
統合ＤＢ５１０に記憶される医用データには、上述したように、各種の検査によって得られた数値（計測値）や画像、診療記録等の情報、それらの記録日時を示す情報、被検体の患者ＩＤ等が含まれる。ここで、患者ＩＤは、各医療施設で共通のものであってもよいし、各医療施設で相違するものであってもよい。但し、後者の場合には、例えば、同一人物に関する各医用期間の患者ＩＤを相互に関連付け等することで、各医療施設の患者ＩＤから同一人物の被検体を特定できるよう構成されているものとする。
【００２０】
医用情報処理装置１００は、自己の医療施設及び他の医療施設の統合データサーバ５００から各種の医用データを取得し、取得した医用データの表示に係る情報処理を実行する。例えば、医用情報処理装置１００は、ワークステーションやパーソナルコンピュータ、タブレット端末等のコンピュータ機器によって実現される。
【００２１】
図２は、医用情報処理装置１００の構成の一例を示す図である。図２に示すように。医用情報処理装置１００は、通信インタフェース１１０と、記憶回路１２０と、入力インタフェース１３０と、ディスプレイ１４０と、処理回路１５０とを有する。
【００２２】
通信インタフェース１１０は、処理回路１５０に接続されており、医用情報処理装置１００と各システムとの間で行われる各種データの伝送及び通信を制御する。具体的には、通信インタフェース１１０は、各システムから医用データを受信し、受信した医用データを処理回路１５０に出力する。例えば、通信インタフェース１１０は、ネットワークカードやネットワークアダプタ、ＮＩＣ（Network  Interface  Controller）等によって実現される。
【００２３】
記憶回路１２０は、処理回路１５０に接続されており、各種データを記憶する。また、記憶回路１２０は、各システムから受信した医用データを記憶する。また、記憶回路１２０は、後述する抽出条件情報を記憶する。例えば、記憶回路１２０は、ＲＡＭ（Random  Access  Memory）、フラッシュメモリ等の半導体メモリ素子や、ハードディスク、光ディスク等によって実現される。なお、記憶回路１２０は、記憶部の実現手段の一例である。
【００２４】
入力インタフェース１３０は、処理回路１５０に接続されており、操作者から各種指示及び各種情報の入力操作を受け付ける。具体的には、入力インタフェース１３０は、操作者から受け付けた入力操作を電気信号へ変換して処理回路１５０に出力する。例えば、入力インタフェース１３０は、トラックボール、スイッチボタン、マウス、キーボード、操作面へ触れることで入力操作を行うタッチパッド、表示画面とタッチパッドとが一体化されたタッチスクリーン、光学センサを用いた非接触入力回路、及び音声入力回路等によって実現される。なお、本実施形態において、入力インタフェース１３０は、マウス、キーボード等の物理的な操作部品を備えるものだけに限られない。例えば、装置とは別体に設けられた外部の入力機器から入力操作に対応する電気信号を受け取り、この電気信号を制御回路へ出力する電気信号の処理回路も入力インタフェース１３０の例に含まれる。
【００２５】
ディスプレイ１４０は、処理回路１５０に接続されており、各種情報及び各種画像を表示する。具体的には、ディスプレイ１４０は、処理回路１５０から送られる各種情報及び各種画像のデータを表示用の電気信号に変換して出力する。例えば、ディスプレイ１４０は、液晶モニタやＣＲＴ（Cathode  Ray  Tube）モニタ、タッチパネル等によって実現される。
【００２６】
処理回路１５０は、入力インタフェース１３０を介して操作者から受け付けた入力操作に応じて、医用情報処理装置１００の構成要素を制御する。具体的には、処理回路１５０は、通信インタフェース１１０から出力される医用データを記憶回路１２０に記憶させる。また、処理回路１５０は、記憶回路１２０から医用データを読み出し、ディスプレイ１４０に表示する。例えば、処理回路１５０は、プロセッサによって実現される。
【００２７】
上述した構成の医用情報処理装置１００は、医師等の医療従事者によって種々の用途に使用される。例えば、医用情報処理装置１００は、医療従事者は被検体の診断等を行う場合に、各種医用データの表示に用いられる。
【００２８】
ところで、上述の医用情報システム１では、同一人物の被検体が複数の医療施設で検査を受けたような場合、その被検体の医用データは医療施設の各々で管理されることになる。この場合、医療従事者は、自己の医療施設で取得された医用データとともに、他の医療施設で取得された医用データを用いて被検体の診断を行うが、他の医療施設が管理する医用データから診断に必要な医用データを探す手間が煩わしく非効率的である。また、他の医療施設から被検体に係る全ての医用データを取得するような場合、取得が完了するまで医用データを表示することができず、また診断に不要な医用データも取得することになるため非効率的である。
【００２９】
そこで、本実施形態の医用情報処理装置１００は、自己の医療施設及び他の医療施設が管理する医用データに関して、表示に係る効率性及び利便性を向上させるための機能を有している。
【００３０】
具体的には、医用情報処理装置１００は、所見推定機能１５１と、所見設定機能１５２と、第１の抽出機能１５３と、第１の判定機能１５４と、第２の判定機能１５５と、第２の抽出機能１５６と、検査依頼機能１５７と、表示制御機能１５８とを有する。なお、所見推定機能１５１は、所見推定部の一例である。また、所見設定機能１５２は、所見設定部の一例である。また、第１の抽出機能１５３は、第１の抽出部の一例である。また、第１の判定機能１５４及び第２の判定機能１５５は、判定部の一例である。また、第２の抽出機能１５６は、第２の抽出部の一例である。また、検査依頼機能１５７は、検査依頼部の一例である。また、表示制御機能１５８は、表示制御部の一例である。
【００３１】
所見推定機能１５１は、診断対象となる被検体の身体的特徴や主訴、医用データ等に基づいて、被検体の診断に係る項目を所見として推定する。ここで、所見は、例えば、病気や疾病等に伴う被検体の症状（黄疸、発熱等）、疑われる病名等を意味する。なお、所見の推定方法は特に問わず種々の方法を採用することが可能である。
【００３２】
例えば、所見推定機能１５１は、年齢、性別、体型等の身体的特徴と主訴との組み合わせと、その組み合わせの条件から予測される症状や病名等とを対応付けたガイドライン情報に基づき、診断対象の被検体の条件に対応する症状や病名を、当該被検体の診断に係る所見として取得する。なお、被検体の身体的特徴及び主訴が、カルテデータ等の医用データに含まれる場合、所見推定機能１５１は、医用データに含まれた身体的特徴及び主訴の組を用いて所見を推定してもよい。
【００３３】
また、例えば、所見推定機能１５１は、複数の被検体の医用データと診断結果（所見）との関連性を学習した機械学習モデルやシミュレータ等の推定モデルを用いて所見を推定してもよい。この場合、所見推定機能１５１は、診断対象の被検体の医用データを推定モデルに入力し、当該推定モデルから出力される診断結果を所見として取得する。
【００３４】
なお、所見推定機能１５１が推定する所見の個数は一に限らず複数であってもよい。例えば、所見推定機能１５１は、妥当性の高い所見から順に所定個数分（例えば３個）を選択する構成としてもよい。
【００３５】
所見設定機能１５２は、被検体の診断に係る項目を所見として設定する。例えば、所見設定機能１５２は、入力インタフェース１３０等を介して、所見推定機能１５１が推定した所見の一つが選択されると、選択された所見を処理対象に設定する。また、所見設定機能１５２は、入力インタフェース１３０等を介して、所見が入力されると、入力された所見を処理対象に設定する。
【００３６】
第１の抽出機能１５３は、自己の医療施設の統合データサーバ５００が管理する診断対象の被検体の医用データ（以下、第１の医用データという）の中から、所見設定機能１５２で設定された所見に関連する第１の医用データを抽出する。具体的には、第１の抽出機能１５３は、表示の対象とする医用データの条件を所見毎に定義した抽出条件情報１２１に基づき、自己の医療施設が管理する被検体の第１の医用データの中から、所見設定機能１５２で設定された所見の条件を充足する第１の医用データを抽出する。
【００３７】
ここで、図３は、抽出条件情報１２１のデータ構造の一例を示す図である。図３に示すように、抽出条件情報１２１は、所見の種別毎に、表示の対象、つまり抽出の対象となる医用データの条件（抽出条件）を対応付けて記憶する。
【００３８】
抽出条件は、例えばデータ種別、又はデータ種別と指標値との組で表される。図３では、データ種別と指標値との組を抽出条件とした例を示している。データ種別は、医用データに含まれる検査結果の検査種別等を意味する。例えば、データ種別は、検体検査によって得られる白血球数やγ−ＧＰＴ（グルタミン酸ピルビン酸トランスアミナーゼ）等の定量データの種別が設定される。また、例えば、データ種別には、特定の症状（黄疸等）や病歴、アレルギーの種別等の定性データの種別が設定される。
【００３９】
一方、指標値には、例えば、所見の根拠となるデータ種別の指標値が格納される。一例として、データ種別が定量データの場合には、数値範囲等が設定される。また、データ種別が定性データの場合には、その定性データに対応する項目の有・無や、陰性・陽性等を表す値が設定される。
【００４０】
なお、各所見に設定する抽出条件の個数は特に問わないものとする。例えば、図３の抽出条件情報１２１では、「所見１」に関係する医用データの抽出条件として、データ種別がＤ１、Ｄ２、Ｄ３、Ｄ５の４つの抽出条件が設定されている。また、「所見２」に関係する医用データの抽出条件として、データ種別がＤ１、Ｄ６、Ｄ７、Ｄ９の４つの抽出条件が設定されている。
【００４１】
第１の抽出機能１５３は、所見設定機能１５２で設定された所見の抽出条件に基づき、自己の医療施設の統合データサーバ５００が管理する診断対象の被検体の第１の医用データの中から、抽出条件を充足する第１の医用データを抽出する。例えば、所見設定機能１５２で「所見１」が設定された場合、第１の抽出機能１５３は、「所見１」に対応付けられた４つの抽出条件の各々について、当該抽出条件を充足する第１の医用データを検索し抽出する。
【００４２】
第１の判定機能１５４は、第１の抽出機能１５３で抽出された第１の医用データが、所見設定機能１５２で設定された所見に対応する抽出条件の全てを充足するか否かを判定する。
【００４３】
例えば、図３に示した「所見１」の抽出条件について、第１の抽出機能１５３で抽出された第１の医用データのデータ種別がＤ１、Ｄ３、Ｄ５であった場合、第１の判定機能１５４は、データ種別Ｄ２の抽出条件を充足する医用データが不足していると判定する。また、例えば、「所見２」の抽出条件について、第１の抽出機能１５３で抽出された第１の医用データのデータ種別がＤ１、Ｄ６、Ｄ７であった場合、第１の判定機能１５４は、データ種別Ｄ９の抽出条件を充足する医用データが不足していると判定する。
【００４４】
第２の判定機能１５５は、第１の判定機能１５４で医用データが不足していると判定された場合に、不足分の抽出条件を充足する医用データが他の医療施設（医療施設システム１０）に存在するか否かを判定する。具体的には、第２の判定機能１５５は、他の医療施設システム１０の統合データサーバ５００が管理する医用データの中に、診断対象の被検体の医用データが存在するか否かを判定する。ここで、他の医療施設システム１０の統合データサーバ５００が管理する医用データの中に、被検体の医用データが存在しない場合には、不足分の抽出条件を充足する医用データが存在しないと判定する。
【００４５】
また、第２の判定機能１５５は、他の医療施設システム１０の統合データサーバ５００が管理する医用データの中に、診断対象の被検体の医用データが存在すると判定した場合、その被検体の医用データの中から、不足分の抽出条件を充足する医用データを検索する。ここで、抽出条件を充足する医用データを検索することができない場合、第２の判定機能１５５は、不足分の抽出条件を充足する医用データは存在しないと判定する。一方、抽出条件を充足する医用データを検索できた場合、第２の判定機能１５５は、不足分の抽出条件を充足する医用データが他の医療施設に存在すると判定する。この場合、第２の判定機能１５５は、抽出条件を充足した医用データの格納先を、第２の抽出機能１５６に通知してもよい。
【００４６】
第２の抽出機能１５６は、他の医療施設（医療施設システム１０）が管理する被検体の医用データ（以下、第２の医用データ）の中から、所見設定機能１５２で設定された所見に関連する第２の医用データを抽出する。具体的には、第２の抽出機能１５６は、第２の判定機能１５５で、不足分の抽出条件を充足する医用データが他の医療施設に存在すると判定されると、他の医療施設が管理する被検体の第２の医用データの中から、不足分の抽出条件を充足する第２の医用データを抽出する。
【００４７】
例えば、図３に示した「所見１」の抽出条件について、第１の抽出機能１５３で抽出された第１の医用データのデータ種別がＤ１、Ｄ３、Ｄ５であり、第２の判定機能１５５によりデータ種別Ｄ２の抽出条件を充足する医用データが他の医療施設に存在すると判定されたとする。この場合、第２の抽出機能１５６は、第２の判定機能１５５の判定結果に基づき、他の医療施設が管理する診断対象の被検体の第２の医用データの中から、データ種別Ｄ２の抽出条件を充足する第２の医用データを抽出する。また、例えば、「所見２」の抽出条件について、第１の抽出機能１５３で抽出された第１の医用データのデータ種別がＤ１、Ｄ６、Ｄ７であり、第２の判定機能１５５によりデータ種別Ｄ９の抽出条件を充足する医用データが他の医療施設に存在すると判定されたとする。この場合、第２の抽出機能１５６は、第２の判定機能１５５の判定結果に基づき、他の医療施設が管理する診断対象の被検体の第２の医用データの中から、データ種別Ｄ９の抽出条件を充足する第２の医用データを抽出する。
【００４８】
ここで、第２の抽出機能１５６が第２の医用データの抽出を開始するタイミングは特に問わないものとする。例えば、第２の抽出機能１５６は、第２の判定機能１５５で存在が確認されたことを条件に、他の医療施設から第２の医用データの抽出を開始してもよい。また、例えば、第２の抽出機能１５６は、入力インタフェース１３０等を介して、ユーザから第２の医用データの取得又は表示が指示されたことを条件に、他の医療施設から第２の医用データの抽出を開始してもよい。また、例えば、入力インタフェース１３０等を介して、抽出を開始する条件を任意に設定できるよう構成することで、設定された条件に基づき第２の医用データの抽出を開始する形態としてもよい。
【００４９】
検査依頼機能１５７は、第２の判定機能１５５で存在しないと判定された不足分の抽出条件に係る検査を依頼するための処理を実行する。具体的には、検査依頼機能１５７は、入力インタフェース１３０等を介し、ユーザから不足分の抽出条件に係る検査依頼を受け付けると、当該検査を実行する自己の医療装置のシステムに対し、被検体の検査を依頼する検査依頼情報を送信する。ここで、検査依頼情報は、例えば、診断対象の被検体の患者ＩＤ、不足分の抽出条件のデータ種別、検査依頼を行った医療従事者の医療従事者ＩＤ等が含まれる。
【００５０】
表示制御機能１５８は、医用情報処理装置１００のディスプレイ１４０に表示する画面を制御する。具体的には、表示制御機能１５８は、入力インタフェース１３０等を介して、診断対象となる被検体の患者ＩＤが入力されると、その患者ＩＤの被検体に係る医用データを表示するための画面をディスプレイ１４０に表示させる。
【００５１】
図４は、表示制御機能１５８によって表示される画面の一例を示す図である。図４に示すように、画面Ｇ１は、タイムライン表示領域Ｇ１１と、データ表示領域Ｇ１２と、所見選択領域Ｇ１３とを有する。
【００５２】
タイムライン表示領域Ｇ１１には、診断対象の被検体に対して行われた、自己の医療施設での診療行為の各々がイベントとして時系列順に表示される。イベントは、検体検査システム２００による検体検査の取得イベント（検体検査）、放射線部門システム３００によるレポートデータ及び画像データの取得イベント（画像検査、レポート）、電子カルテシステム４００によるカルテデータ及びバイタルデータの取得イベント（カルテ記載、バイタル）等を意味する。例えば、表示制御機能１５８は、患者に対する診療行為のイベントの内容を象徴的に表す図柄を、時系列順に配置して表示する。
【００５３】
表示制御機能１５８は、入力インタフェース１３０等を介して、タイムライン表示領域Ｇ１１に表示された何れかのイベントを指定する操作を受け付けると、統合データサーバ５００を参照し、指定されたイベントに対応する医用データを取得する。また、表示制御機能１５８は、入力インタフェース１３０等を介して、タイムライン表示領域Ｇ１１に表示された表示期間のうちの何れかの時点又は期間を指定する操作を受け付けると、統合データサーバ５００を参照し、指定された時点又は期間で実施されたイベントに対応する医用データを取得する。そして、表示制御機能１５８は、取得した医用データの内容をデータ表示領域Ｇ１２に表示させる。
【００５４】
例えば、イベントに対応する医用データが画像データである場合、表示制御機能１５８は、その画像データが表す画像をデータ表示領域Ｇ１２内に表示させる。また、例えば、指定されたイベントに対応する医用データが検体検査データやバイタルデータ等である場合、表示制御機能１５８は、指定された時点又は期間で実施された計測値や、計測値の変化を示すグラフをデータ表示領域Ｇ１２に表示させる。
【００５５】
ここで、医用データの各々はデータ表示領域Ｇ１２において、データ表示領域Ｇ１２よりも小さな表示領域（以下、パネル）内に表示される。これにより、データ表示領域Ｇ１２では、複数の医用データを同一の画面内に表示することが可能となっている。
【００５６】
なお、画面Ｇ１の表示レイアウトは、特に問わず、任意に設定することが可能であるとする。例えば、パネルの大きさは、医用データのデータ種別毎に定めた固定値であってもよいし、表示する医用データの個数に応じて動的に変化させてもよい。また、各パネルに表示する画像データの種別は、予め設定されていてもよいし、所定の優先度等に基づいて動的に割り当ててもよい。また、データ表示領域Ｇ１２内に表示可能なパネルの個数も特に問わず、固定値であってもよいし、表示する医用データの個数等に応じて動的に増減させてもよい。また、パネルのレイアウトも特に問わず、固定のレイアウトであってもよいし、表示する医用データの個数等に応じて動的に変化させてもよい。
【００５７】
所見選択領域Ｇ１３には、所見推定機能１５１が推定した所見が選択候補として提示される。かかる所見選択領域Ｇ１３は、入力インタフェース１３０等を介して操作可能に構成される。例えば、所見選択領域Ｇ１３の操作子Ｇ１３１が操作されると、表示制御機能１５８は、図５に示すように、所見選択領域Ｇ１３を下方に展開することで、所見推定機能１５１で推定された所見をリスト表示させる。
【００５８】
図５は、図４に示した所見選択領域Ｇ１３の操作方法を説明するための図である。図５に示すように、所見選択領域Ｇ１３には、所見推定機能１５１で推定された所見の各々が選択可能な状態で表示される。図５では、「所見１」、「所見５」、「所見６」の３つの所見が推定された例を示している。所見選択領域Ｇ１３に表示された所見から何れか一の所見が選択されると、所見設定機能１５２は、その選択された所見を処理対象に設定する。
【００５９】
また、所見選択領域Ｇ１３では、手動操作により所見を追加入力することが可能となっている。具体的には、表示制御機能１５８は、所見選択領域Ｇ１３において、操作子Ｇ１３２に対する操作を受け付けると、所見を追加入力することが可能な入力領域Ｇ１３３を所見選択領域Ｇ１３に表示させる。なお、入力領域Ｇ１３３に所見が入力された場合、所見設定機能１５２は、その入力された所見を処理対象に設定する。
【００６０】
このように、医用情報処理装置１００のユーザは、所見選択領域Ｇ１３を介して、所見推定機能１５１によって推定された所見や任意の所見を、被検体に係る所見として選択することができる。
【００６１】
所見設定機能１５２による所見の設定に伴い、第１の抽出機能１５３は、自己の医療施設の統合データサーバ５００が管理する診断対象の被検体の第１の医用データの中から、設定された所見に関連する第１の医用データの抽出を開始する。また、第１の抽出機能１５３による第１の医用データの抽出結果に応じて、第１の判定機能１５４、第２の判定機能１５５及び第２の抽出機能１５６が順次動作することになる。
【００６２】
なお、タイムライン表示領域Ｇ１１等を介し特定の期間が指定された場合には、所見推定機能１５１、第１の抽出機能１５３、第１の判定機能１５４、第２の判定機能１５５及び第２の判定機能１５５は、その指定された期間で実施されたイベントに対応する医用データの範囲で、所見の推定、抽出条件を充足する医用データの検索及び抽出を行うよう構成してもよい。これにより、例えば、医用情報処理装置１００のユーザは、比較的最近の期間等、特定の期間に取得された医用データに限定して被検体の診断を行うことができるため、利便性の向上を図ることができる。
【００６３】
表示制御機能１５８は、これら第１の抽出機能１５３、第１の判定機能１５４、第２の判定機能１５５及び第２の抽出機能１５６の動作結果に基づき、所見設定機能１５２で設定された所見の抽出条件を充足する医用データをデータ表示領域Ｇ１２に表示させる。具体的には、表示制御機能１５８は、第１の抽出機能１５３が抽出した第１の医用データをデータ表示領域Ｇ１２に表示させる。また、表示制御機能１５８は、第１の判定機能１５４及び第２の判定機能１５５の判定結果に応じて、第２の医用データの表示を制御する。
【００６４】
例えば、第１の判定機能１５４により、第１の抽出機能１５３で抽出された第１の医用データが抽出条件の全てを充足すると判定された場合、表示制御機能１５８は、第１の抽出機能１５３で抽出された第１の医用データのみをデータ表示領域Ｇ１２に表示させる。
【００６５】
また、例えば、第２の判定機能１５５により、不足分の抽出条件を充足する医用データが他の医療施設に存在すると判定された場合、表示制御機能１５８は、第１の抽出機能１５３で抽出された第１の医用データをデータ表示領域Ｇ１２に表示させる。また、表示制御機能１５８は、第２の抽出機能１５６が抽出する第２の医用データを表示するか否かをユーザに確認するための情報（以下、表示確認情報）をデータ表示領域Ｇ１２に表示させる。
【００６６】
図６は、表示制御機能１５８によって表示される画面の一例を示す図であり、データ表示領域Ｇ１２に表示確認情報が表示された状態を示している。ここで、表示制御機能１５８は、第１の抽出機能１５３で抽出された２つの第１の医用データを、データ表示領域Ｇ１２内のパネルＰ１、Ｐ２にそれぞれ表示させている。なお、図６では、所見選択領域Ｇ１３で「所見５」が選択された例を示しており、「所見５」の抽出条件を充足した第１の医用データとして、投薬記録及び検体検査データがパネルＰ１、Ｐ２に表示されている。
【００６７】
また、表示制御機能１５８は、第２の判定機能１５５の判定結果に基づき、他の医療施設に存在する医用データを表示するか否かを確認するための表示確認情報を、データ表示領域Ｇ１２内のパネルＰ３に表示させている。具体的には、表示制御機能１５８は、表示確認情報として、不足分の抽出条件を充足する医用データ（バイタルデータ）が他の医療施設に存在する旨を報知するとともに、その医用データを表示可能な旨を報知するメッセージＰ３１を表示させる。かかるメッセージＰ３１には、医用データの抽出元となる医療施設名（医療施設Ｂ）が含まれる。
【００６８】
また、表示制御機能１５８は、表示確認情報として、他の医療施設が管理する医用データの表示（又は取得）を指示するための操作子Ｐ３２を表示させる。ここで、操作子Ｐ３２は、第１の方法を指定可能な操作子の一例である。医用情報処理装置１００のユーザは、表示確認情報として表示されたメッセージＰ３１を確認し、医用データの表示を希望する場合には、操作子Ｐ３２を操作することで表示を指示することができる。
【００６９】
このように、医用情報処理装置１００では、第２の医用データの表示に先駆けて、表示の意思を医用情報処理装置１００のユーザに確認する。これにより、例えば、医用情報処理装置１００のユーザが、自己の医療施設の医用データのみで診断等を行うような場合に、第２の医用データが不用意に表示されてしまうことを防ぐことができる。したがって、医用情報処理装置１００では、不足分の医用データの取得や表示に係る利便性を向上させることができる。
【００７０】
また、医用情報処理装置１００では、第１の医用データを同一の画面Ｇ１内に表示させるとともに、当該画面Ｇ１内に他の医療施設に存在する旨のメッセージＰ３１や操作子Ｐ３２を表示させる。これにより、医用情報処理装置１００では、どの種別の医用データが不足しているのか、他の医療施設に不足分の医用データが存在しているのか等を、医用情報処理装置１００のユーザに認識させることができるため、利便性の向上を図ることができる。また、第１の医用データと同一の画面内に操作子Ｐ３２を表示することで、医用情報処理装置１００のユーザは、画面を切り替えることなく不足分の医用データの取得に係る操作を容易に行うことができるため、利便性の向上を図ることができる。
【００７１】
表示制御機能１５８は、操作子Ｐ３２に対する操作を受け付けると、図７に示すように、第２の抽出機能１５６が他の医療施設（医療施設Ｂ）から抽出した第２の医用データを、データ表示領域Ｇ１２に表示させる。なお、第２の抽出機能１５６は、操作子Ｐ３２の操作に応じて第２の医用データの抽出を開始してもよい。
【００７２】
図７は、表示制御機能１５８により表示される画面の一例を示す図であり、第２の医用データが表示された状態を示している。具体的には、表示制御機能１５８は、第２の医用データの表示指示を受け付けると、表示確認情報を消去し、第２の抽出機能１５６が抽出した第２の医用データをパネルＰ３に表示させる。また、表示制御機能１５８は、第２の医用データの抽出元の他の医療施設（医療施設Ｂ）を示した抽出元情報Ｐ３３をパネルＰ３に対応付けて表示させる。つまり、表示制御機能１５８は、第２の医用データと抽出元情報Ｐ３３とを対応付けて表示させる。
【００７３】
これにより、医用情報処理装置１００のユーザは、抽出元情報Ｐ３３を見ることで、どの医療施設から取得された医用データかを容易に確認することができる。また自己の医療施設から抽出された第１の医用データと、他の医療施設から抽出された第２の医用データとが同一の画面に表示されるため、医用情報処理装置１００のユーザは、第１の医用データと第２の医用データとの関係を容易に確認することができる。したがって、医用情報処理装置１００では、医用データの表示に係る利便性を向上させることができる。
【００７４】
なお、第２の抽出機能１５６が第２の医用データを複数個抽出した場合には、表示制御機能１５８は、抽出された第２の医用データ毎にパネル表示させてもよいし、同じパネル内に複数の第２の医用データを表示させてもよい。後者の場合、例えば、同一データ種別の第２の医用データ（数値データ）をグラフ形式等で表示させる場合に有効である。また、例えば、第２の抽出機能１５６が互いに異なる他の医療施設から第２の医用データを抽出する場合や、同一の医療施設からデータ種別の異なる複数の第２の医用データを抽出するような場合、表示制御機能１５８は、医療施設毎又はデータ種別毎に表示確認情報を表示させてもよい。
【００７５】
また、図６及び図７では、表示制御機能１５８は、ユーザから表示が指示されたことを条件に、第２の医用データを表示する形態としたが、これに限らず、表示確認情報を表示することなく第２の医用データを直ちに表示させる形態としてもよい。
【００７６】
また、例えば、第２の判定機能１５５で不足分の抽出条件を充足する医用データが他の医療施設に存在しないと判定された場合、表示制御機能１５８は、図８に示すように、抽出条件を充足する医用データが不足していることを報知する報知情報をデータ表示領域Ｇ１２に表示させる。
【００７７】
図８は、表示制御機能１５８により表示される画面の一例を示す図であり、データ表示領域Ｇ１２に報知情報が表示された状態を示している。ここで、表示制御機能１５８は、第１の抽出機能１５３で抽出された２つの第１の医用データを、図６と同様にデータ表示領域Ｇ１２内のパネルＰ１、Ｐ２にそれぞれ表示させている。なお、図８では、所見選択領域Ｇ１３で「所見６」が選択された例を示しており、「所見６」の抽出条件を充足した第１の医用データとして、投薬記録及び検体検査データがパネルＰ１、Ｐ２に表示されている。
【００７８】
また、表示制御機能１５８は、第２の判定機能１５５の判定結果に基づき、抽出条件を充足する医用データが不足していることを報知する報知情報を、データ表示領域Ｇ１２内のパネルＰ４に表示させている。具体的には、表示制御機能１５８は、報知情報として、医用データ（バイタルデータ）が存在しない旨を報知するとともに、検査を依頼するか否かを確認するメッセージＰ４１を表示させる。
【００７９】
また、表示制御機能１５８は、報知情報として、検査依頼を行うための操作子Ｐ４２を表示させる。ここで、操作子Ｐ４２は、第２の方法を指定可能な操作子の一例である。医用情報処理装置１００のユーザは、報知情報として表示されたメッセージＰ４１を確認し、被検体の検査を希望する場合には、操作子Ｐ４２を操作することで検査依頼を行うことができる。なお、報知情報は、図８の例に限らないものとする。
【００８０】
検査依頼機能１５７は、操作子Ｐ４２に対する操作を受け付けると、第１の判定機能１５４又は第２の判定機能１５５で医用データが不足していると判定された抽出条件のデータ種別に係るシステムに対し検査依頼情報を送信する。これにより、医用情報処理装置１００のユーザは、自己の医療施設に対し、不足分の医用データに係る検査を依頼することができる。
【００８１】
このように、医用情報処理装置１００では、第１の医用データが表示される画面と同一の画面内、より具体的には、パネルＰ１、Ｐ２と同様の表示形態（パネルＰ４）で、検査依頼を行うためのメッセージＰ４１や操作子Ｐ４２を表示させる。これにより、医用情報処理装置１００では、医用データが不足していることを医用情報処理装置１００のユーザに直観的に認識させることができるため、利便性の向上を図ることができる。また、パネルＰ１、Ｐ２と同様の表示形態で操作子Ｐ４２を表示することで、医用情報処理装置１００のユーザは操作子Ｐ４２の操作を容易に行うことができるため、操作性を向上を図ることができる。
【００８２】
次に、図９を参照して、上述した医用情報処理装置１００の動作例について説明する。図９は、医用情報処理装置１００が実行する処理の一例を示すフローチャートである。なお、本処理の前提として、被検体の患者ＩＤが入力された後、図４に示す画面がディスプレイ１４０に表示されているものとする。
【００８３】
まず、表示制御機能１５８は、所見推定機能１５１で推定された所見を選択候補として所見選択領域Ｇ１３に表示させる（ステップＳ１１）。所見設定機能１５２は、所見選択領域Ｇ１３を介して所見が選択（又は入力）されたか否かを判定する（ステップＳ１２）。ここで、所見が選択されない場合には（ステップＳ１２；Ｎｏ）、ステップＳ２５に移行する。また、所見が選択された場合には（ステップＳ１２；Ｙｅｓ）、所見設定機能１５２は、その選択された所見を処理対象に設定する（ステップＳ１３）。
【００８４】
続いて、第１の抽出機能１５３は、自己の医療施設の統合データサーバ５００が管理する被検体の第１の医用データの中から、ステップＳ１３で設定された所見の抽出条件を充足する第１の医用データを抽出する（ステップＳ１４）。表示制御機能１５８は、ステップＳ１４で抽出された第１の医用データをデータ表示領域Ｇ１２に表示させる（ステップＳ１５）。
【００８５】
続いて、第１の判定機能１５４は、ステップＳ１４で抽出された第１の医用データが、抽出条件の全てを充足するか否かを判定する（ステップＳ１６）。ここで、抽出条件の全てを充足すると判定した場合（ステップＳ１６；Ｙｅｓ）、第１の判定機能１５４は、ステップＳ２５に処理を移行させる。また、抽出条件の全てを充足しないと判定した場合（ステップＳ１６；Ｎｏ）、第１の判定機能１５４は、ステップＳ１７に処理を移行させる。
【００８６】
ステップＳ１７において、第２の判定機能１５５は、不足分の抽出条件を充足する被検体の医用データが、他の医療施設の統合データサーバ５００に存在するか否かを判定する（ステップＳ１７）。他の医療施設に医用データが存在すると判定された場合（ステップＳ１７；Ｙｅｓ）、表示制御機能１５８は、その医用データを表示するか否かをユーザに確認するための表示確認情報をデータ表示領域Ｇ１２に表示させる（ステップＳ１８）。次いで、第２の抽出機能１５６は、ステップＳ１８で表示された表示確認情報に基づき、医用データの表示が指示されたか否かを判定する（ステップＳ１９）。
【００８７】
医用データの表示が指示された場合（ステップＳ１９；Ｙｅｓ）、第２の抽出機能１５６は、他の診療施設の統合データサーバ５００が管理する被検体の第２の医用データの中から、不足分の抽出条件を充足する第２の医用データを抽出する（ステップＳ２０）。次いで、表示制御機能１５８は、ステップＳ２０で抽出された第２の医用データをデータ表示領域Ｇ１２に表示させ（ステップＳ２１）、ステップＳ２５に移行する。なお、ステップＳ１９で表示が指示されない場合には（ステップＳ１９；Ｎｏ）、第２の医用データを表示することなくステップＳ２５に移行する。
【００８８】
一方、ステップＳ１７において、不足分の抽出条件を充足する医用データが他の医療施設に存在しないと判定された場合（ステップＳ１７；Ｎｏ）、表示制御機能１５８は、抽出条件を充足する医用データが不足していることを報知する報知情報をデータ表示領域Ｇ１２に表示させる（ステップＳ２２）。次いで、検査依頼機能１５７は、ステップＳ２２で表示された報知情報に基づき、検査依頼が指示されたか否かを判定する（ステップＳ２３）。
【００８９】
検査依頼が指示された場合（ステップＳ２３；Ｙｅｓ）、検査依頼機能１５７は、他の診療施設の統合データサーバ５００が管理する被検体の第２の医用データの中から、不足分の抽出条件（データ種別）の検査に対応するシステム宛に検査依頼情報を送信し（ステップＳ２４）、ステップＳ２５に移行する。なお、ステップＳ２３で検査依頼が指示されない場合には（ステップＳ２３；Ｎｏ）、検査依頼情報を送信することなくステップＳ２５に移行する。
【００９０】
ステップＳ２５において、表示制御機能１５８は、医用情報処理装置１００のユーザから、処理の終了が指示されたか否かを判定する（ステップＳ２５）。終了が指示されない場合（ステップＳ２５；Ｎｏ）、表示制御機能１５８は、ステップＳ１２に処理を戻すことで、医用データの表示を継続する。また、終了が指示された場合（ステップＳ２５；Ｙｅｓ）、表示制御機能１５８は、本処理を終了する。
【００９１】
上述したように、本実施形態では、被検体に係る所見が設定されると、自己の医療施設及び他の医療施設が管理する被検体の医用データの中から、所見に関係する医用データを抽出し、同一の画面に表示させる。これにより、医用情報処理装置１００のユーザは、自己の医療施設及び他の医療施設が管理する被検体の医用データのうち、所見に関係する医用データを容易に確認することができる。したがって、本実施形態では、複数の施設から取得される医用データの表示に係る利便性を向上させることができ、診断作業の効率化を図ることができる。
【００９２】
また、本実施形態では、抽出条件を充足する医用データが不足している場合、その旨を報知するとともに、不足分の医用データの取得に係る操作子を医用情報処理装置１００のユーザに提供する。これにより、医用情報処理装置１００のユーザは、不足分の医用データについて、他の医用施設からの取得指示や、自己の医療施設への検査依頼を容易に行うことができるため、不足分の医用データの取得に係る利便性を向上させることができる。
【００９３】
なお、上述した実施形態は、医用情報処理装置１００が有する構成又は機能の一部を変更することで、適宜に変形して実施することも可能である。そこで、以下では、上述した実施形態に係るいくつかの変形例を説明する。なお、以下では、上述した実施形態と異なる点を主に説明することとし、既に説明した内容と共通する点については詳細な説明を省略する。また、以下で説明する変形例は、個別に実施されてもよいし、適宜組み合わせて実施されてもよい。
【００９４】
（変形例１）
上述した実施形態では、表示制御機能１５８は、他の医療施設から抽出された第２の医用データをそのまま表示する形態としたが、これに限らず、計測値等の表示形態等を変更して表示させてもよい。
【００９５】
例えば、正常／異常の判別や重篤度の判別に係る計測値の基準範囲は、医療施設間で相違する場合がある。このような場合、表示制御機能１５８は、自己の医療施設で使用する計測値の基準範囲と、第２の医用データを抽出した他の医療施設で使用する計測値の基準範囲とに基づき、自己の医療施設の基準範囲に合わせて第２の医用データの表示形態を変更させてもよい。
【００９６】
具体的には、表示制御機能１５８は、図１０に示す基準範囲情報１２２を参照し、自己の医療施設及び他の医療施設で使用する基準範囲を特定する。ここで、図１０は、基準範囲情報１２２のデータ構成の一例を示す図である。なお、基準範囲情報１２２は、医用情報処理装置１００の記憶回路１２０が記憶してもよいし、統合データサーバ５００等の記憶回路が記憶してもよい。
【００９７】
図１０に示すように、基準範囲情報１２２は、医用データのデータ種別毎に、各医療施設で使用する基準範囲を対応付けて記憶する。例えば、自己の医療施設が医療施設Ａ、第２の医用データの抽出元となった他の医療施設が医療施設Ｂである場合、基準範囲情報１２２は、これら両施設の基準範囲に基づき、第２の医用データの表示形態を変更する。なお、表示形態の変更方法は特に問わず、種々の方法を採用することが可能である。
【００９８】
例えば、表示制御機能１５８は、自己の医療施設及び他の医療施設の基準範囲を明示する補助情報を、第２の医用データに付加して表示させてもよい。また、例えば、表示制御機能１５８は、第１の基準範囲と第２の基準範囲との差分に基づき、第２の医用データに含まれる計測値を補正して表示させてもよい。
【００９９】
このように、本変形例では、自己の医療施設の基準範囲と、他の医療施設の基準範囲とに基づいて、第２の医用データの表示形態を変更する。これにより、医用情報処理装置１００のユーザは、自己の医療施設の基準範囲に合わせて変更された第２の医用データを用いて診断作業を行うことができるため、診断作業の効率化を図ることができる。
【０１００】
なお、自己の医療施設の基準範囲と他の医療施設の基準範囲とが相違する場合の表示制御機能１５８の動作は上記例に限らず、他の動作を行うよう制御してもよい。この場合、例えば、図１１に示すような動作設定情報１２３に基づき、表示制御機能１５８の動作を制御してもよい。ここで、図１１は、動作設定情報１２３のデータ構成の一例を示す図である。なお、動作設定情報１２３は、医用情報処理装置１００の記憶回路１２０が記憶してもよいし、統合データサーバ５００等の記憶回路が記憶してもよい。
【０１０１】
図１１に示すように、動作設定情報１２３は、医用データのデータ種別毎に、自己の医療施設（自己施設）と第２の医用データの抽出元となる他の医療施設（相手施設）との組み合わせと、条件と、動作とを対応付けて記憶する。ここで、「条件」は、例えば、基準範囲が相違する場合や、基準範囲の差分が閾値を超える場合等を設定することができる。また、「動作」は、対応する「条件」に該当する場合の表示制御機能１５８の動作を規定するものである。例えば、「動作」としては、第２の医用データの表示に際し、基準範囲が相違する旨を報知する警告表示を行うことを規定したり、第２の医用データを表示しないよう規定したりすることができる。
【０１０２】
動作設定情報１２３を用いる場合、表示制御機能１５８は、第２の抽出機能１５６が抽出した第２の医用データのデータ種別と、自己の医療施設及び第２の医用データの抽出元となる他の医療施設の組と、に対応する「条件」及び「動作」の内容に基づき、第２の医用データの表示を制御する。なお、「条件」及び「動作」に設定する内容は、図１１の例に限らないものとする。
【０１０３】
図１２は、表示制御機能１５８により表示される画面の一例を示す図であり、動作設定情報１２３に基づく動作例を示すものである。なお、図１２では、自己の医療施設と他の医療施設との基準範囲が相違する場合の「動作」として、上述した警告表示を行うとともに、検査依頼又は表示をユーザに選択させることが規定されているものとする。
【０１０４】
この場合、表示制御機能１５８は、第２の医用データ（バイタルデータ）の抽出元となる他の医療施設との基準範囲と、自己の医療施設の基準範囲とが相違すると、基準範囲が相違することを報知するメッセージＰ５１をパネルＰ５に表示させる。また、表示制御機能１５８は、第２の医用データの取得に係る検査依頼を行うことが可能な操作子Ｐ５２と、第２の医用データの表示を指示するための操作子Ｐ５３とをパネルＰ５に表示させる。
【０１０５】
医用情報処理装置１００のユーザは、パネルＰ５に表示されたメッセージＰ５１を確認し、検査依頼を希望する場合には操作子Ｐ５２を、第２の医用データの表示を希望する場合には操作子Ｐ５３を操作する。操作子Ｐ５２が操作されると、検査依頼機能１５７は、上記と同様に検査依頼情報を送信する。これにより、医用情報処理装置１００のユーザは、第２の医用データと同じデータ種別の医用データを取得するための検査を、自己の医療施設内のシステムに依頼することができる。
【０１０６】
また、操作子Ｐ５３が操作された場合、表示制御機能１５８は、上述した図７と同様、第２の医用データをデータ表示領域Ｇ１２に表示させる。なお、表示制御機能１５８は、第２の医用データをそのまま表示させてもよいし、自己及び他の医療施設の基準範囲に基づいて表示形態を変更して表示させてもよい。
【０１０７】
（変形例２）
上述した実施形態では、第２の抽出機能１５６は、第１の判定機能１５４で不足していると判定された抽出条件を充足する医用データを抽出対象としたが、抽出対象の医用データはこれに限らないものとする。例えば、第２の抽出機能１５６は、第１の抽出機能１５３と同様に、所見設定機能１５２で設定された所見の抽出条件を充足する医用データを抽出対象としてもよい。
【０１０８】
これにより、医療従事者は、自己及び他の医療施設で取得された同一抽出条件の医用データ、つまり取得タイミングが相違する同一データ種別の医用データを参照しながら、被検体を診断することができる。したがって、本変形例の医用情報処理装置１００では、被検体の医用データを多面的に検討する機会を医療従事者に提供することができるため、診断支援に係る利便性の向上を図ることができる。
【０１０９】
（変形例３）
上述した実施形態では、第１の抽出機能１５３及び第２の抽出機能１５６は、データ種別及び指標値の組で構成された抽出条件を充足する医用データを抽出対象としたが、抽出条件はこれに限らないものとする。例えば、第１の抽出機能１５３及び第２の抽出機能１５６は、データ種別及び指標値の組のうち、データ種別の条件を充足する医用データを抽出対象としてもよい。
【０１１０】
これにより、例えば、医療従事者は、抽出された医用データに含まれる測定値と指標値との関係から、被検体に対する所見の妥当性を検討したり、再検査の必要性を検討したりすることができる。したがって、本変形例の医用情報処理装置１００では、被検体の医用データを多面的に検討する機会を医療従事者に提供することができるため、診断支援に係る利便性の向上を図ることができる。
【０１１１】
（変形例４）
上述した実施形態では、表示制御機能１５８は、自己の医療施設から抽出された第１の医用データと、他の医療施設から抽出された第２の医用データとを、それぞれ異なるパネルに表示させる形態としたが、これに限らず、同一のパネルに表示させてもよい。例えば、第１の医用データと第２の医用データとが数値データであり、共通する座標を用いてグラフ表示することができる場合には、両医用データに含まれた計測値を同一の座標上にグラフ表示させてもよい。なお、この場合、計測値（グラフ）は、何れの医療施設を由来とするものかを識別可能な状態で表示させることが好ましい。
【０１１２】
（変形例５）
上述した実施形態では、医用データを表示する画面Ｇ１の表示レイアウトは固定又は動的に変更可能な構成としたが、所見（抽出条件）毎に表示レイアウトを設定する形態としてもよい。この場合、例えば、抽出条件情報１２１（図３参照）の所見種別に設定された所見に対し、表示レイアウトの設定情報（以下、表示設定情報）を対応付けて記憶することで、所見毎に表示レイアウトを切り替えることができる。表示設定情報は、その所見の抽出条件に該当する医用データの各々を表示するパネル（表示領域）の配置位置やパネル大きさ等を規定する情報を含む。
【０１１３】
例えば、図６で説明した画面Ｇ１の場合、「所見５」の表示設定情報は、データ表示領域Ｇ１２の左領域に投薬記録データを表示するための大パネル（パネルＰ１）を配置すること、右領域の上部に検体検査データを表示するための小パネル（パネルＰ２）を配置すること、右領域の下部にバイタルデータを表示するための小パネル（パネルＰ３）を配置することを規定するものとなる。
【０１１４】
また、本変形例に係る医用情報処理装置１００の機能構成は、上述の抽出条件情報１２１に基づいて、医用データの抽出や画面Ｇ１の表示に係る処理を実行する。具体的には、第１の抽出機能１５３は、上述の抽出条件情報１２１に基づき、自己の医療施設が管理する被検体の医用データの中から、所見設定機能１５２で設定された所見の抽出条件を充足する医用データを抽出する。表示制御機能１５８は、第１の抽出機能１５３が抽出した第１の医用データを、画面Ｇ１（表示レイアウト）内の対応するパネルに表示させる。また、表示制御機能１５８は、表示する医用データ（第１の医用データ）が存在しないパネルに、当該パネルに表示するよう規定された不足分の抽出条件に係る医用データについて、他の医療施設から取得することを指示するための操作子、又は自己の医療施設に検査依頼を行うための操作子を表示させる。そして、表示制御機能１５８は、第２の抽出機能１５６により、第２の医用データが抽出された場合には、当該第２の医用データを、画面Ｇ１（表示レイアウト）内の対応するパネルに表示させる。
【０１１５】
このように、本変形例では、所見毎に設定された表示レイアウトに基づき、画面Ｇ１内の対応するパネルに第１の医用データを表示させるとともに、不足分の医用データの取得に係る操作子を当該画面Ｇ１内の対応するパネルに表示させる。これにより、医用情報処理装置１００では、どの種別の医用データが不足しているのかを医用情報処理装置１００のユーザに直観的に認識させることができるため、利便性の向上を図ることができる。また、第１の医用データと同一の画面内に不足分の医用データの取得に係る操作子を表示することで、医用情報処理装置１００のユーザは、画面を切り替えることなく不足分の医用データの取得に係る操作を容易に行うことができるため、利便性の向上を図ることができる。
【０１１６】
なお、表示制御機能１５８は、第１の実施形態と同様、第１の判定機能１５４や第２の判定機能１５５の判定結果に基づいて、各種操作子の表示や報知メッセージの表示を制御してもよい。
【０１１７】
（変形例６）
上述した実施形態では、第２の抽出機能１５６は、他の医療施設から第２の医用データを抽出する形態としたが、抽出元となる施設は医療機関に限らないものとする。例えば、被検体が活動量計等の計測デバイスを使用し、当該計測デバイスで計測された計測値がサーバ装置やクラウド等に記憶されるような場合、第２の抽出機能１５６は、これらサーバ装置やクラウド等の施設から、医用データ（計測値）を抽出してもよい。
【０１１８】
このように、本変形例の医用情報処理装置１００では、様々な施設に管理された被検体の医用データを統括的に取り扱うことができるため、医用技術者を煩わせることなく。所見に関係する医用データの収集を効率的に行うことができる。
【０１１９】
（変形例７）
上述した実施形態では、医用情報処理装置１００が、所見推定機能１５１、所見設定機能１５２、第１の抽出機能１５３、第１の判定機能１５４、第２の判定機能１５５、第２の抽出機能１５６、検査依頼機能１５７及び表示制御機能１５８を備える形態としたが、これら機能の一部又は全てを、医用情報処理装置１００以外の装置が備える形態としてもよい。
【０１２０】
例えば、統合データサーバ５００が、上述した各機能の一部又は全てを有する形態としてもよい。この場合、統合データサーバ５００は、医用情報処理装置として機能し、Ｗｅｂサービス等の形態で上述した画面を、医用情報処理装置１００のディスプレイ１４０に表示させる。また、医用情報処理装置は一のコンピュータ装置に限らず、ネットワーク接続された複数のコンピュータ装置により実現されてもよい。例えば、医療施設システム１０の各々に設けられた統合データサーバ５００の協働によって医用情報処理装置が実現されてもよい。
【０１２１】
なお、上述した各実施形態では、本明細書における所見推定部、所見設定部、第１の抽出部、判定部、第２の抽出部、検査依頼部及び表示制御部を、それぞれ、処理回路１５０の所見推定機能１５１、所見設定機能１５２、第１の抽出機能１５３、第１の判定機能１５４、第２の判定機能１５５、第２の抽出機能１５６、検査依頼機能１５７及び表示制御機能１５８によって実現する場合の例を説明したが、実施形態はこれに限られない。例えば、本明細書における所見推定部、所見設定部、第１の抽出部、判定部、第２の抽出部、検査依頼部及び表示制御部は、実施形態で述べた所見推定機能１５１、所見設定機能１５２、第１の抽出機能１５３、第１の判定機能１５４、第２の判定機能１５５、第２の抽出機能１５６、検査依頼機能１５７及び表示制御機能１５８によって実現する他にも、ハードウェアのみ、又は、ハードウェアとソフトウェアとの混合によって同機能を実現するものであっても構わない。
【０１２２】
また、上述した説明で用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサは、記憶回路１２０に保存されたプログラムを読み出して実行することで、機能を実現する。なお、記憶回路１２０にプログラムを保存する代わりに、プロセッサの回路内にプログラムを直接組み込むように構成しても構わない。この場合は、プロセッサは回路内に組み込まれたプログラムを読み出して実行することで機能を実現する。また、本実施形態のプロセッサは、単一の回路として構成される場合に限らず、複数の独立した回路を組み合わせて一つのプロセッサとして構成され、その機能を実現するようにしてもよい。
【０１２３】
ここで、プロセッサによって実行されるプログラムは、ＲＯＭ（Read  Only  Memory）や記憶回路等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、上述した各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【０１２４】
以上説明した少なくとも１つの実施形態及び変形例によれば、被検体の診断に係る医用データのうち、不足分の医用データの取得に係る利便性を向上させることができる。
【０１２５】
本発明のいくつかの実施形態及び変形例を説明したが、これらの実施形態及び変形例は、例として提示したものであり、発明の範囲を限定することは意図していない。これらの実施形態及び変形例は、その他の様々な形態で実施されることが可能であり、発明の要旨を逸脱しない範囲で、種々の省略、置き換え、変更を行うことができる。これらの実施形態及び変形例は、発明の範囲や要旨に含まれると同様に、特許請求の範囲に記載された発明とその均等の範囲に含まれるものである。
【符号の説明】
【０１２６】
１  医用情報処理システム
１０  医療施設システム
１００  医用情報処理装置
１５１  所見推定機能
１５２  所見設定機能
１５３  第１の抽出機能
１５４  第１の判定機能
１５５  第２の判定機能
１５６  第２の抽出機能
１５７  検査依頼機能
１５８  表示制御機能
【図１】
2020181342.tif 000003
【図２】
2020181342.tif 000004
【図３】
2020181342.tif 000005
【図４】
2020181342.tif 000006
【図５】
2020181342.tif 000007
【図６】
2020181342.tif 000008
【図７】
2020181342.tif 000009
【図８】
2020181342.tif 000010
【図９】
2020181342.tif 000011
【図１０】
2020181342.tif 000012
【図１１】
2020181342.tif 000013
【図１２】
2020181342.tif 000014